(57)【要約】      （修正有）【課題】読取装置で読み取られた画像に基づく印刷画像の画質を向上させる。【解決手段】第一制御部UC1は、画像の色を表す色空間CSにおいて第一インクの色を含む第一領域（純色化領域R1）にある色を第一インクの１色で印刷させる。第二制御部UC2は、色空間CSにおいて第一領域から離れた第二領域（通常領域R2）にある色を、少なくとも第二インクが含まれる１色以上のインクで、かつ、第二インク（CMKインク）の少なくとも１色については少なくとも第二ドット（中ドット）が印刷画像に含まれるように印刷させる。第三制御部UC3は、色空間CSにおいて第一領域と第二領域との間の第三領域（中間領域R3）にある色を、第一インク、及び、第二インクの１色以上で、かつ、第二インク（CMKインク）については第一ドット（小ドット）となるように印刷させる。【選択図】図１
2016096491.tif 000002
【特許請求の範囲】
【請求項１】
第一インク、及び、該第一インクとは色が異なる１色以上の第二インクを含む複数色の
インクで第一ドット、及び、該第一ドットよりも大きい第二ドットを含む印刷画像を形成
可能な印刷部を制御する制御部を備える印刷制御装置であって、
前記制御部は、
画像の色を表す色空間において前記第一インクの色を含む第一領域にある色を前記第
一インクの１色で印刷させる第一制御部と、
前記色空間において前記第一領域から離れた第二領域にある色を、少なくとも前記第
二インクが含まれる１色以上のインクで、且つ、前記第二インクの少なくとも１色につい
ては少なくとも前記第二ドットが印刷画像に含まれるように印刷させる第二制御部と、
前記色空間において前記第一領域と前記第二領域との間の第三領域にある色を、前記
第一インク、及び、前記第二インクの１色以上で、且つ、前記第二インクについては前記
第一ドットとなるように印刷させる第三制御部と、を有する、印刷制御装置。
【請求項２】
読取装置で読み取られた読取画像を印刷する第一印刷設定と、前記読取画像とは異なる
画像を印刷する第二印刷設定と、を含む複数の印刷設定の中からいずれかの印刷設定を受
け付ける印刷設定受付部を備え、
前記制御部は、前記第二印刷設定が受け付けられている場合、前記第三領域にある色を
、前記第一インク、及び、前記第二インクの１色以上で、且つ、前記第二インクの少なく
とも１色については少なくとも前記第二ドットが印刷画像に含まれるように印刷させる、
請求項１に記載の印刷制御装置。
【請求項３】
前記制御部は、前記第二印刷設定が受け付けられている場合、前記第一領域にある色の
うち前記第一インクの色を除く色を、前記第一インク、及び、前記第二インクの１色以上
で印刷させる、請求項２に記載の印刷制御装置。
【請求項４】
前記制御部は、
前記第一印刷設定が受け付けられている場合、前記インクの使用量と、前記第一ドッ
ト及び前記第二ドットを含む複数サイズのドットの形成量と、の対応関係を規定した第一
振り分けテーブルに従って前記複数色のインクの使用量を前記複数サイズのドットの形成
量に変換し、該形成量のドットが含まれた印刷画像を形成させ、
前記第二印刷設定が受け付けられている場合、前記インクの使用量と、前記第一ドッ
ト及び前記第二ドットを含む複数サイズのドットの形成量と、の対応関係を規定した第二
振り分けテーブルに従って前記複数色のインクの使用量を前記複数サイズのドットの形成
量に変換し、該形成量のドットが含まれた印刷画像を形成させ、
前記第一振り分けテーブルは、前記第三領域にある色を印刷させるときの前記第二イン
クについて前記第一ドットとなるように対応関係が規定され、
前記第二振り分けテーブルは、前記第三領域にある色を印刷させるときの前記第二イン
クの少なくとも１色について前記第二ドットが印刷画像に含まれるように対応関係が規定
されている、請求項２又は請求項３に記載の印刷制御装置。
【請求項５】
前記制御部は、
前記第一印刷設定が受け付けられている場合、入力表色系の座標値と、前記複数色の
インクの使用量と、の対応関係を規定した第一変換テーブルに従って画像の画素値を前記
複数色のインクの使用量に変換し、該使用量の複数色のインクで印刷画像を形成させ、
前記第二印刷設定が受け付けられている場合、前記入力表色系の座標値と、前記複数
色のインクの使用量と、の対応関係を規定した第二変換テーブルに従って画像の画素値を
前記複数色のインクの使用量に変換し、該使用量の複数色のインクで印刷画像を形成させ
、
前記第三領域における前記第一変換テーブルは、前記第二インクについて前記第一ドッ
トとなるように対応関係が規定され、
前記第三領域における前記第二変換テーブルは、前記第二インクの少なくとも１色につ
いて前記第二ドットが印刷画像に含まれるように対応関係が規定されている、請求項２〜
請求項４のいずれか一項に記載の印刷制御装置。
【請求項６】
前記第一領域は、前記色空間において前記第一インクの色を含む所定範囲内の領域から
１色で印刷すべきでない第四領域を除いた領域である、請求項１〜請求項５のいずれか一
項に記載の印刷制御装置。
【請求項７】
前記第一インクにイエローのインクが含まれ、前記第四領域に肌色が含まれる、請求項
６に記載の印刷制御装置。
【請求項８】
第一インク、及び、該第一インクとは色が異なる１色以上の第二インクを含む複数色の
インクで第一ドット、及び、該第一ドットよりも大きい第二ドットを含む印刷画像を形成
可能な印刷部を制御する印刷制御方法であって、
画像の色を表す色空間において前記第一インクの色を含む第一領域にある色を前記第一
インクの１色で印刷させ、
前記色空間において前記第一領域から離れた第二領域にある色を、少なくとも前記第二
インクが含まれる１色以上のインクで、且つ、前記第二インクの少なくとも１色について
は少なくとも前記第二ドットが印刷画像に含まれるように印刷させ、
前記色空間において前記第一領域と前記第二領域との間の第三領域にある色を、前記第
一インク、及び、前記第二インクの１色以上で、且つ、前記第二インクについては前記第
一ドットとなるように印刷させる、印刷制御方法。
【発明の詳細な説明】
【技術分野】
【０００１】
本発明は、複数色のインクで印刷画像を形成する制御を行う印刷制御装置、及び、印刷
制御方法に関する。
【背景技術】
【０００２】
記録装置として、例えば、記録ヘッドから被印刷物に複数色のインク滴を吐出してドッ
トを形成するインクジェットプリンターが知られている。また、記録装置として、原稿の
カラー画像を読み取るスキャン機能、読み取った読取画像をカラー印刷するコピー機能、
等を有する複合機も知られている。
【０００３】
特許文献１には、第１のルックアップテーブルと第２のルックアップテーブルの対応す
る各格子点の出力値を所定の結合比率で結合して新たなルックアップテーブルを作成する
方法が示されている。前記第１のルックアップテーブルは色補正を行っていないルックア
ップテーブルであり、前記第２のルックアップテーブルは色補正を行ったルックアップテ
ーブルである。
【先行技術文献】
【特許文献】
【０００４】
【特許文献１】特開２０１０−１４１８２８号公報
【発明の概要】
【発明が解決しようとする課題】
【０００５】
複合機やスキャナー等といった読取装置で原稿画像を読み取って印刷すると、原稿画像
の色からずれることがある。例えば、原稿画像にＹ（イエロー）の純色の領域がある場合
、読取画像の前記領域にＣ（シアン）やＭ（マゼンタ）やＫ（ブラック）といった他の色
が混ざり、印刷画像の前記領域でＣＭＫの比較的大きいインクドットによる粒状感が目立
つことがある。特許文献１に記載の技術は、原稿画像で純色であった部分の読取画像に他
の色が混ざると前記部分の印刷画像にも他の色の比較的大きいインクドットが混ざり、同
様に粒状感が目立つことがある。
尚、上述した問題は、複合機に限らず、種々の装置について同様に存在する。
【０００６】
以上を鑑み、本発明の目的の一つは、読取装置で読み取られた画像に基づく印刷画像の
画質を向上させる技術を提供することにある。
【課題を解決するための手段】
【０００７】
上記目的の一つを達成するため、本発明は、第一インク、及び、該第一インクとは色が
異なる１色以上の第二インクを含む複数色のインクで第一ドット、及び、該第一ドットよ
りも大きい第二ドットを含む印刷画像を形成可能な印刷部を制御する制御部を備える印刷
制御装置であって、
前記制御部は、
画像の色を表す色空間において前記第一インクの色を含む第一領域にある色を前記第
一インクの１色で印刷させる第一制御部と、
前記色空間において前記第一領域から離れた第二領域にある色を、少なくとも前記第
二インクが含まれる１色以上のインクで、且つ、前記第二インクの少なくとも１色につい
ては少なくとも前記第二ドットが印刷画像に含まれるように印刷させる第二制御部と、
前記色空間において前記第一領域と前記第二領域との間の第三領域にある色を、前記
第一インク、及び、前記第二インクの１色以上で、且つ、前記第二インクについては前記
第一ドットとなるように印刷させる第三制御部と、を有する、態様を含む。
【０００８】
上記態様は、読取装置で読み取られた画像に基づく印刷画像の画質を向上させる技術を
提供することができる。
【０００９】
さらに、本発明は、印刷制御装置を含む記録装置といった複合装置、上述した各部に対
応した工程を含む印刷制御方法、印刷制御方法を含む複合装置用の処理方法、上述した各
部に対応した機能をコンピューターに実現させる印刷制御プログラム、印刷制御プログラ
ムを含む複合装置用の処理プログラム、これらのプログラムを記録したコンピューター読
み取り可能な媒体、等に適用可能である。前述の装置は、分散した複数の部分で構成され
てもよい。
【図面の簡単な説明】
【００１０】
【図１】画像の色を表す色空間において領域毎に使用インク及び形成ドットを制御する例を模式的に示す図。
【図２】（ａ）は変換テーブル中のイエロー１色のデータの例を模式的に示す図、（ｂ）は彩度Ｃ−明度Ｌ平面上でイエロー１色を模式的に示す図、（ｃ）は原稿画像を読み取って通常モードで印刷画像を形成する例を模式的に示す図。
【図３】印刷制御装置を含む記録システムの構成例を模式的に示す図。
【図４】印刷の例を模式的に示す図。
【図５】印刷制御装置が行う印刷制御処理の例を示すフローチャート。
【図６】変換テーブルの構造例を模式的に示す図。
【図７】振り分けテーブルの構造例を模式的に示す図。
【図８】原稿画像を読み取ってコピーモードで印刷画像を形成する例を模式的に示す図。
【図９】印刷制御装置が行う印刷制御処理の変形例を示すフローチャート。
【図１０】印刷制御装置が行う印刷制御処理の変形例を示すフローチャート。
【図１１】画像の色を表す色空間において領域毎に使用インク及び形成ドットを制御する変形例を模式的に示す図。
【図１２】画像の色を表す色空間において制限領域（第四領域）を設ける例を模式的に示す図。
【発明を実施するための形態】
【００１１】
以下、本発明の実施形態を説明する。むろん、以下の実施形態は本発明を例示するもの
に過ぎず、実施形態に示す特徴の全てが発明の解決手段に必須になるとは限らない。
【００１２】
（１）本技術の概要：
まず、図１〜１２を参照して本技術の概要を説明する。
【００１３】
図１等に例示される印刷制御装置１は、第一インク（例えばＹインク）、及び、該第一
インクとは色が異なる１色以上の第二インク（例えばＣＭＫインク）を含む複数色のイン
ク（例えばＣＭＹＫインク）で第一ドット（例えば小ドット６９Ｓ）、及び、該第一ドッ
トよりも大きい第二ドット（例えば中ドット６９Ｍ及び大ドット６９Ｌ）を含む印刷画像
ＩＭ３を形成可能な印刷部ＵＰＲを制御する制御部ＵＣを備える。前記制御部ＵＣは、第
一制御部ＵＣ１、第二制御部ＵＣ２、第三制御部ＵＣ３、を有する。前記第一制御部ＵＣ
１は、画像（例えば画像ＩＭ１）の色を表す色空間ＣＳにおいて前記第一インクの色を含
む第一領域（例えば純色化領域Ｒ１）にある色を前記第一インクの１色で印刷させる。前
記第二制御部ＵＣ２は、前記色空間ＣＳにおいて前記第一領域（Ｒ１）から離れた第二領
域（例えば通常領域Ｒ２）にある色を、少なくとも前記第二インクが含まれる１色以上の
インクで、且つ、前記第二インク（例えばＣＭＫインク）の少なくとも１色については少
なくとも前記第二ドット（例えば中ドット６９Ｍと大ドット６９Ｌの少なくとも一方）が
印刷画像に含まれるように印刷させる。前記第三制御部ＵＣ３は、前記色空間ＣＳにおい
て前記第一領域（Ｒ１）と前記第二領域（Ｒ２）との間の第三領域（例えば中間領域Ｒ３
）にある色を、前記第一インク、及び、前記第二インクの１色以上で、且つ、前記第二イ
ンク（例えばＣＭＫインク）については前記第一ドット（例えば小ドット６９Ｓ）となる
ように印刷させる。
【００１４】
以上より、第一インクの色を含む第一領域（Ｒ１）と、該第一領域（Ｒ１）から離れた
第二領域（Ｒ２）と、の間の第三領域（Ｒ３）に形成される第二インク（例えばＣＭＫイ
ンク）のドットが比較的小さい第一ドット（例えば小ドット６９Ｓ）となり、第二インク
のドットが目立たない。従って、本技術は、読取装置で読み取られた画像に基づく印刷画
像の画質を向上させることができる。
【００１５】
ここで、第一インクは、Ｙインクが好ましいものの、Ｃインク、Ｍインク、Ｋインク、
等でもよい。例えば、多くのＫインクドットの中にＹインクの比較的大きいドットが少し
混じると、水系インクの場合には文字や細線品質の低下を招く可能性がある。
少なくとも第二インクが含まれる１色以上のインクには、Ｙインクが含まれてもよいし
、Ｙインクが含まれていなくてもよい。第二インクがＣＭＫインクである場合、少なくと
も第二インクが含まれるとはＣインクとＭインクとＫインクの少なくとも一つが含まれる
ことを意味し、少なくとも第二インクが含まれる１色以上のインクとはＣインクとＭイン
クとＫインクの少なくとも一つ、又は、ＣインクとＭインクとＫインクの少なくとも一つ
とＹインクを意味する。
第一ドットは小ドットが好ましいものの、小ドットと中ドットの組合せ等でもよい。第
二ドットが中ドットよりも大きい大ドット等であれば、本技術に含まれる。
第二ドットが中ドットと大ドットの組合せである場合、第二ドットが含まれるとは、中
ドットと大ドットの少なくとも一方が含まれることを意味する。
【００１６】
本印刷制御装置１は、読取装置（例えばスキャン部３５）で読み取られた読取画像ＩＭ
５を印刷する第一印刷設定（例えばコピーモード）と、前記読取画像ＩＭ５とは異なる画
像を印刷する第二印刷設定（例えば通常モード）と、を含む複数の印刷設定の中からいず
れかの印刷設定ＳＥＴ０を受け付ける印刷設定受付部ＵＡを備えてもよい。前記制御部Ｕ
Ｃは、前記第二印刷設定（例えば通常モード）が受け付けられている場合、前記第三領域
（Ｒ３）にある色を、前記第一インク、及び、前記第二インクの１色以上で、且つ、前記
第二インク（例えばＣＭＫインク）の少なくとも１色については少なくとも前記第二ドッ
ト（例えば中大ドット６９Ｍ，６９Ｌの少なくとも一方）が含まれるように印刷させても
よい。本態様は、読取画像とは異なる画像を印刷する際に第二印刷設定（例えば通常モー
ド）にすることができるので、読取画像とは異なる画像に基づく印刷画像の画質を向上さ
せることができる。
ここで、複数の印刷設定には、第一印刷設定及び第二印刷設定とは異なる印刷設定（第
三印刷設定等）が含まれてもよい。
【００１７】
前記制御部ＵＣは、前記第二印刷設定（例えば通常モード）が受け付けられている場合
、前記第一領域（Ｒ１）にある色のうち前記第一インクの色を除く色を、前記第一インク
（例えばＹインク）、及び、前記第二インク（例えばＣＭＫインク）の１色以上で印刷さ
せてもよい。本態様は、読取画像とは異なる画像に基づく印刷画像の画質をさらに向上さ
せることができる。
【００１８】
前記制御部ＵＣは、前記第一印刷設定（例えばコピーモード）が受け付けられている場
合、前記インクの使用量と、前記第一ドット及び前記第二ドットを含む複数サイズのドッ
トの形成量と、の対応関係を規定した第一振り分けテーブルＤＩＳ１に従って前記複数色
のインクの使用量を前記複数サイズのドットの形成量に変換し、該形成量のドットが含ま
れた印刷画像ＩＭ３を形成させてもよい。また、前記制御部ＵＣは、前記第二印刷設定（
例えば通常モード）が受け付けられている場合、前記インクの使用量と、前記第一ドット
及び前記第二ドットを含む複数サイズのドットの形成量と、の対応関係を規定した第二振
り分けテーブルＤＩＳ２に従って前記複数色のインクの使用量を前記複数サイズのドット
の形成量に変換し、該形成量のドットが含まれた印刷画像ＩＭ６を形成させてもよい。前
記第一振り分けテーブルＤＩＳ１は、前記第三領域（Ｒ３）にある色を印刷させるときの
前記第二インク（例えばＣＭＫインク）について前記第一ドット（例えば小ドット６９Ｓ
）となるように対応関係が規定されてもよい。前記第二振り分けテーブルＤＩＳ２は、前
記第三領域（Ｒ３）にある色を印刷させるときの前記第二インク（例えばＣＭＫインク）
の少なくとも１色について前記第二ドット（例えば中大ドット６９Ｍ，６９Ｌの少なくと
も一方）が含まれるように対応関係が規定されてもよい。本態様は、振り分けテーブルに
従って複数色のインクの使用量を複数サイズのドットの形成量に変換するという簡易な構
成で印刷画像の画質をさらに向上させることができる。
【００１９】
前記制御部ＵＣは、前記第一印刷設定（例えばコピーモード）が受け付けられている場
合、入力表色系（例えばＲＧＢ表色系）の座標値と、前記複数色のインク（例えばＣＭＹ
Ｋインク）の使用量と、の対応関係を規定した第一変換テーブルＣＯＮ１に従って画像の
画素値を前記複数色のインクの使用量に変換し、該使用量の複数色のインクで印刷画像Ｉ
Ｍ３を形成させてもよい。また、前記制御部ＵＣは、前記第二印刷設定（例えば通常モー
ド）が受け付けられている場合、前記入力表色系の座標値と、前記複数色のインクの使用
量と、の対応関係を規定した第二変換テーブルＣＯＮ２に従って画像の画素値を前記複数
色のインクの使用量に変換し、該使用量の複数色のインクで印刷画像ＩＭ６を形成させて
もよい。前記第三領域（Ｒ３）における前記第一変換テーブルＣＯＮ１は、前記第二イン
ク（例えばＣＭＫインク）について前記第一ドット（例えば小ドット６９Ｓ）となるよう
に対応関係が規定されてもよい。前記第三領域（Ｒ３）における前記第二変換テーブルＣ
ＯＮ２は、前記第二インク（例えばＣＭＫインク）の少なくとも１色について前記第二ド
ット（例えば中大ドット６９Ｍ，６９Ｌの少なくとも一方）が含まれるように対応関係が
規定されてもよい。本態様は、変換テーブルに従って画像の画素値を複数色のインクの使
用量に変換するという簡易な構成で印刷画像の画質をさらに向上させることができる。
ここで、変換テーブルには、表色系を変換する色変換テーブル、変換前の色成分量を複
数の色成分量に置き換える色分版テーブル、等が含まれる。
画素は、色を独立に割り当てることができる、画像を構成する最小要素である。
【００２０】
図１２に例示するように、前記第一領域（例えば純色化領域Ｒ１）は、前記色空間ＣＳ
において前記第一インク（例えばＹインク）の色を含む所定範囲内の領域Ａ１から１色で
印刷すべきでない第四領域（例えば制限領域Ｒ４）を除いた領域でもよい。この態様は、
１色で印刷すべきでない色が１色で印刷されることを抑制することができるので、印刷画
像の画質をさらに向上させることができる。
ここで、前記第四領域には、肌色、白色、グレイ、等が含まれてもよい。
【００２１】
（２）印刷制御装置を含む記録システムの構成の具体例：
図１は、色変換前の画像ＩＭ１の色を表す色空間ＣＳにおいて領域毎に使用インク及び
形成ドットを制御する例を模式的に示している。尚、図１の右上には色空間ＣＳにおける
第一変換テーブルＣＯＮ１を模式的に示し、その下にＢ＝ｂの断面における第一変換テー
ブルＣＯＮ１を模式的に示している。分かり易く示すため、階調値２５５（相対量１００
％）を原点に対応させ、Ｒ軸とＧ軸とＢ軸のそれぞれについて原点から離れるほど階調値
が小さくなるように第一変換テーブルＣＯＮ１を示している。図２（ａ）は、変換テーブ
ルＣＯＮ１，ＣＯＮ２に規定されているイエロー１色のデータの例を模式的に示している
。図２（ｂ）は、彩度Ｃ−明度Ｌ平面上でイエロー１色を模式的に示している。図２（ｂ
）におけるＣは、シアンではなく、彩度を表している。図２（ｃ）は、原稿画像ＩＭ４を
読み取って通常モード（第二印刷設定）で印刷画像ＩＭ６を形成する例を模式的に示して
いる。図３は、印刷制御装置１を含む記録システムＳＹ１の構成例を模式的に示している
。
【００２２】
図３では、スキャナー付き記録装置ＰＲ１としてインクジェットプリンターの一種であ
るシリアルプリンターの構成例を模式的に示している。むろん、本技術を適用可能なイン
クジェットプリンターは、ラインプリンター等でもよい。本技術を適用可能な印刷装置は
、複写機、ファクシミリ、これらの機能を備えた複合機、等でもよい。カラー画像を形成
するインクジェットプリンターで使用されるインクには、例えば、Ｃ（シアン）、Ｍ（マ
ゼンタ）、Ｙ（イエロー）、及び、Ｋ（ブラック）のインクが含まれる。むろん、インク
には、さらに、Ｌｃ（ライトシアン）、Ｌｍ（ライトマゼンタ）、Ｌｋ（ライトブラック
）、Ｄｙ（ダークイエロー）、Ｏｒ（オレンジ）、Ｇｒ（グリーン）、等のインク、さら
に画質向上用の無着色インク、等が含まれてもよい。ここで、ＬｃはＣよりも低濃度のシ
アンであり、ＬｍはＭよりも低濃度のマゼンタであり、ＬｋはＫよりも低濃度の無彩色で
あり、ＤｙはＹよりも高濃度のイエローである。
【００２３】
図４は、記録装置ＰＲ１の記録方法の例を模式的に示している。図４は、被印刷物４１
０に対して記録ヘッド６１を１回主走査することにより記録ヘッド６１のノズル列６８に
対応する１バンド分の全ドットを形成するバンド印刷の例を示している。被印刷物（prin
t substrate）は、印刷画像を保持する素材のことである。形状は長方形のものが一般的
であるが、円形（例えばＣＤ−ＲＯＭ、ＤＶＤ等の光ディスク）、三角形、四角形、多角
形などがあり、少なくとも、JIS（日本工業規格）P0001:1998（紙・板紙及びパルプ用語
）に記載の紙・板紙の品種及び加工製品の全てを含む。樹脂シート、金属板、立体物、等
も被印刷物に含まれる。
【００２４】
バンド印刷では、搬送方向Ｄ１において被印刷物４１０の１回の送り量に相当する長さ
Ｈ１のバンドＢＤを単位としてドット６９の形成が完了していく。むろん、記録方法は、
疑似バンド印刷、インターレース印刷、等でもよい。尚、符号Ｄ１は被印刷物４１０の搬
送方向、符号Ｄ２は被印刷物４１０に沿った面を基準としたときに搬送方向Ｄ１と交差す
る主走査方向（相対移動方向）、符号Ｄ３は被印刷物４１０に沿った面を基準としたとき
に主走査方向Ｄ２と交差する並び方向、を示している。主走査方向Ｄ２は、キャリッジ６
０が往復移動する方向であり、図４に示す例では搬送方向Ｄ１及び並び方向Ｄ３と直交し
ているが、これらの方向Ｄ１，Ｄ３と直交していなくてもよい。並び方向Ｄ３は、ノズル
列６８の中でノズル６４が並んでいる方向であり、図４の例では搬送方向Ｄ１と一致して
いるが、搬送方向Ｄ１とは略４５°ずれる等、ずれていてもよい。尚、二方向が交差する
ことは、直交することを含めて二方向がずれていることを意味する。分かり易く示すため
、各方向の拡大率は異なることがあり、各図は整合していないことがある。さらに、方向
や位置等の同一、直交、等は、厳密な同一、直交、等のみを意味するのではなく、製造時
等に生じる誤差等も含む。
【００２５】
図３に示す記録装置ＰＲ１では、コントローラー１０、ＲＡＭ（Random Access Memory
）２０、不揮発性メモリー３０、スキャン部（読取装置）３５、機構部５０（印刷部ＵＰ
Ｒ）、インターフェイス（Ｉ／Ｆ）７１，７２、操作パネル７３、等がバス８０に接続さ
れて互いに情報を入出力可能とされている。
【００２６】
図３に示すコントローラー１０は、ＣＰＵ（Central Processing Unit）１１、解像度
変換部４１、色変換部４２、ハーフトーン処理部４３、ラスタライズ処理部４４、駆動信
号送信部４５、等を備える。コントローラー１０は、ＳｏＣ（System on a Chip）等によ
り構成することができる。
ＣＰＵ１１は、記録装置ＰＲ１における情報処理や制御を中心的に行う装置である。
【００２７】
解像度変換部４１は、ホスト装置５００やメモリーカード９０等から受け取った画像の
解像度を印刷画像ＩＭ３（図１参照）に合わせた設定解像度に変換する。変換対象の画像
は、例えば、ｓＲＧＢ表色系の成分といったＲＧＢ（赤、緑、青）の階調値（例えば０〜
２５５の２５６階調）を各画素に有するＲＧＢデータで表現される。本具体例では、Ｒ，
Ｇ，Ｂの相対量０％を階調値０に対応させ、Ｒ，Ｇ，Ｂの相対量１００％を階調値２５５
に対応させているものとする。
色変換部４２は、ＲＧＢの成分の量とＣＭＹＫのインク使用量との対応関係を規定した
変換テーブルＣＯＮ１，ＣＯＮ２を参照して色変換前の画像ＩＭ１を色変換する。図１に
示す色変換前の画像ＩＭ１は、印刷されたときの搬送方向Ｄ１及び主走査方向Ｄ２へ並べ
られた画素ＰＸ１にＲＧＢの画素値（Ｒｉ，Ｇｉ，Ｂｉ）が格納されたデータである。画
素値（Ｒｉ，Ｇｉ，Ｂｉ）は、例えば、ＲＧＢの階調値（例えば相対量０〜１００％に対
応する０〜２５５の２５６階調）とされる。色変換後の画像ＩＭ２は、搬送方向Ｄ１及び
主走査方向Ｄ２へ並べられた画素ＰＸ１にＣＭＹＫの画素値（Ｃｉ，Ｍｉ，Ｙｉ，Ｋｉ）
が格納されたデータとなる。ここでの変数ｉは、画像ＩＭ１，ＩＭ２に含まれる各画素を
識別する変数である。画素値（Ｃｉ，Ｍｉ，Ｙｉ，Ｋｉ）は、例えば、ＣＭＹＫの階調値
（例えばインク使用量０〜１００％に対応する０〜２５５の２５６階調）とされる。変換
テーブルＣＯＮ１，ＣＯＮ２は、色変換テーブル、色変換ＬＵＴ（ルックアップテーブル
）、とも呼ばれる。尚、本具体例では、Ｙインクが第一インクであり、ＣＭＫインクが第
二インクである。
【００２８】
ハーフトーン処理部４３は、まず、ＣＭＹＫのそれぞれについて、インクの使用量と複
数サイズのドット（例えば図４に示す小ドット６９Ｓと中ドット６９Ｍと大ドット６９Ｌ
）の形成量との対応関係を規定した振り分けテーブルＤＩＳ１，ＤＩＳ２を参照して色変
換後の画像ＩＭ２をドットデータＩＭ２Ｓ，ＩＭ２Ｍ，ＩＭ２Ｌに変換する。ドットデー
タは、搬送方向Ｄ１及び主走査方向Ｄ２へ並べられた画素ＰＸ１にドットの形成量（例え
ば０〜２５５の階調値）が格納されたデータである。ここで、小ドットデータＩＭ２Ｓの
各画素ＰＸ１に画素値（ＣＳｉ，ＭＳｉ，ＹＳｉ，ＫＳｉ）が格納され、中ドットデータ
ＩＭ２Ｍの各画素ＰＸ１に画素値（ＣＭｉ，ＭＭｉ，ＹＭｉ，ＫＭｉ）が格納され、大ド
ットデータＩＭ２Ｌの各画素ＰＸ１に画素値（ＣＬｉ，ＭＬｉ，ＹＬｉ，ＫＬｉ）が格納
されるものとする。尚、本具体例では、小ドット６９Ｓが第一ドットであり、中ドット６
９Ｍ及び大ドット６９Ｌが第二ドットである。また、これらのドット６９Ｓ，６９Ｍ，６
９Ｌをドット６９と総称する。
次に、ハーフトーン処理部４３は、ドットデータＩＭ２Ｓ，ＩＭ２Ｍ，ＩＭ２Ｌの各画
素の階調値に対して例えばディザ法や誤差拡散法や濃度パターン法といった所定のハーフ
トーン処理を行って前記階調値の階調数を減らし、ハーフトーンデータを生成する。ハー
フトーンデータは、ドットの形成状況を表すデータであり、ドット無し、小ドット形成、
中ドット形成、及び、大ドット形成を表す４値データである。むろん、ハーフトーンデー
タは、３値データでもよいし、５階調以上の多値データでもよい。
【００２９】
ラスタライズ処理部４４は、ハーフトーンデータを機構部５０でドットが形成される順
番に並べ換えるラスタライズ処理を行ってラスターデータ（パス単位のイメージデータ）
を生成する。
駆動信号送信部４５は、記録ヘッド６１の駆動素子６３に印加する電圧信号に対応した
駆動信号ＳＧをラスターデータから生成して駆動回路６２へ出力する。例えば、ラスター
データが「大ドット形成」であれば大ドット用のインク滴を吐出させる駆動信号を出力し
、ラスターデータが「小ドット形成」であれば小ドット用のインク滴を吐出させる駆動信
号を出力する。
【００３０】
上記各部４１〜４５は、ＡＳＩＣ（Application Specific Integrated Circuit）で構
成されてもよく、ＲＡＭ２０から処理対象のデータを直接読み込んだりＲＡＭ２０に処理
後のデータを直接書き込んだりしてもよい。
【００３１】
コントローラー１０に制御される機構部５０（印刷部ＵＰＲ）は、キャリッジモーター
５１、紙送り機構５３、キャリッジ６０、記録ヘッド６１、等を備える。キャリッジモー
ター５１は、図示しない複数の歯車及びベルト５２を介してキャリッジ６０を主走査方向
Ｄ２へ往復移動させる。紙送り機構５３は、搬送方向Ｄ１へ被印刷物４１０を搬送する。
キャリッジ６０には、例えばＣＭＹＫのインク滴６７を吐出する記録ヘッド６１が搭載さ
れている。記録ヘッド６１は、駆動回路６２、駆動素子６３、等を備える。駆動回路６２
は、コントローラー１０から入力される駆動信号ＳＧに従って駆動素子６３に電圧信号を
印加する。駆動素子６３には、ノズル６４に連通する圧力室内のインク６６に圧力を加え
る圧電素子、熱により圧力室内に気泡を発生させてノズル６４からインク滴６７を吐出（
噴射）させる駆動素子、等を用いることができる。記録ヘッド６１の圧力室には、インク
カートリッジ６５からインク６６が供給される。インクカートリッジ６５と記録ヘッド６
１の組合せは、例えば、ＣＭＹＫのそれぞれに設けられる。圧力室内のインク６６は、駆
動素子６３によってノズル６４から被印刷物４１０に向かってインク滴６７として吐出さ
れ、被印刷物４１０にインク滴６７のドット６９が形成される。記録ヘッド６１と被印刷
物４１０とが相対移動することにより、入力画像に対応した印刷画像ＩＭ３を被印刷物４
１０上に有する印刷物４００が形成される。尚、記録ヘッドと被印刷物とが相対移動する
ことには、被印刷物が移動しないで記録ヘッドが移動すること、ラインプリンターのよう
に記録ヘッドが移動しないで被印刷物が移動すること、及び、記録ヘッドと被印刷物の両
方が移動すること、が含まれる。
【００３２】
図４の下段に示す記録ヘッド６１は、Ｃのノズル列６８Ｃ、Ｍのノズル列６８Ｍ、Ｙの
ノズル列６８Ｙ、及び、Ｋのノズル列６８Ｋが主走査方向Ｄ２へ並んだノズル列群を有し
ている。各ノズル列６８Ｃ，６８Ｍ，６８Ｙ，６８Ｋは、小ドット６９Ｓ用の小インク滴
６７Ｓ、中ドット６９Ｍ用の中インク滴６７Ｍ、及び、大ドット６９Ｌ用の大インク滴６
７Ｌを吐出可能なノズル６４Ｃ，６４Ｍ，６４Ｙ，６４Ｋが並び方向Ｄ３へ並んでいる。
むろん、ノズル列６８は、ノズル６４が千鳥状に配置され並び方向Ｄ３へ２列に並んだノ
ズル列等でもよい。印刷画像ＩＭ３を構成する各画素ＰＸ２は、設計上、ドット６９の形
成位置に対応している。尚、インク滴６７Ｓ，６７Ｍ，６７Ｌをインク滴６７と総称する
。
【００３３】
ＲＡＭ２０には、プログラムデータＰＲＧ１から展開されたプログラムＰＲＧ２、印刷
設定ＳＥＴ０、変換テーブルＣＯＮ１，ＣＯＮ２、振り分けテーブルＤＩＳ１，ＤＩＳ２
、等が格納される。プログラムＰＲＧ２は、第一制御部ＵＣ１に対応する第一制御機能、
第二制御部ＵＣ２に対応する第二制御機能、第三制御部ＵＣ３に対応する第三制御機能、
を含む制御機能を記録装置ＰＲ１に実現させるプログラムを含む。
不揮発性メモリー３０には、プログラムデータＰＲＧ１等が記憶されている。不揮発性
メモリー３０には、ＲＯＭ（Read Only Memory）、ハードディスクといった磁気記録媒体
、等が用いられる。尚、プログラムデータＰＲＧ１を展開するとは、ＣＰＵ１１で解釈可
能なプログラムとしてＲＡＭ２０に書き込むことを意味する。
【００３４】
スキャン部（読取装置）３５は、例えば、光源からの光を原稿に当てて原稿画像を読み
取る。スキャン部３５には、原稿台ガラスと原稿カバーとの間に原稿を配置するフラット
ベット式のスキャナー、原稿送り装置付きのスキャナー、等を用いることができる。
【００３５】
カードＩ／Ｆ７１は、メモリーカード９０にデータを書き込んだりメモリーカード９０
からデータを読み出したりする回路である。メモリーカード９０は、データの書き込み及
び消去が可能な不揮発性半導体メモリーであり、デジタルカメラといった撮像装置により
撮像された画像等が記憶される。画像は、例えばＲＧＢ色空間の画素値で表され、ＲＧＢ
の各画素値は、例えば０〜２５５の階調値で表される。
通信Ｉ／Ｆ７２は、ホスト装置５００の通信Ｉ／Ｆ５７２に接続され、ホスト装置５０
０に対して情報を入出力する。通信Ｉ／Ｆ７２，５７２には、ＵＳＢ（Universal Serial
Bus）等を用いることができる。ホスト装置５００には、パーソナルコンピューターとい
ったコンピューター、デジタルカメラ、デジタルビデオカメラ、スマートフォンといった
携帯電話、等が含まれる。コントローラー１０は、通信Ｉ／Ｆ７２を介したホスト装置５
００からの指示に従って、読取装置（スキャン部３５を含む）で読み取られた読取画像Ｉ
Ｍ５を印刷するコピーモード（第一印刷設定）と、読取画像ＩＭ５とは異なる画像を印刷
する通常モード（第二印刷設定）と、を含む複数の印刷設定の中からいずれかの印刷設定
ＳＥＴ０を受け付け、受け付けた印刷設定ＳＥＴ０を表す情報をＲＡＭ２０に格納する。
【００３６】
操作パネル７３は、出力部７４、入力部７５、等を有し、ユーザーが記録装置ＰＲ１に
対して各種の指示を入力可能である。出力部７４は、例えば、各種の指示に応じた情報や
記録装置ＰＲ１の状態を示す情報を表示する液晶パネル（表示部）で構成される。出力部
７４は、これらの情報を音声出力してもよい。入力部７５は、例えば、カーソルキーや決
定キーといった操作キー（操作入力部）で構成される。入力部７５は、表示画面への操作
を受け付けるタッチパネル等でもよい。操作パネル７３は、コントローラー１０の制御に
従って、コピーモードと通常モードとを含む複数の印刷設定ＳＥＴ０の中からいずれかの
印刷設定を受け付ける。コントローラー１０は、受け付けられた印刷設定ＳＥＴ０をＲＡ
Ｍ２０に格納する。尚、操作パネル７３、通信Ｉ／Ｆ７２、及び、コントローラー１０は
、印刷設定受付部ＵＡを構成する。
【００３７】
ところで、図２（ａ）に示すように、変換テーブルＣＯＮ１，ＣＯＮ２は、ＲＧＢ表色
系（入力表色系）におけるＲＧＢ値とＣＭＹＫ表色系（出力表色系）におけるＣＭＹＫ値
との対応関係を各格子点について規定した情報テーブルである。変換テーブルＣＯＮ１，
ＣＯＮ２には、Ｒ軸とＧ軸とＢ軸を座標軸とする観念上の三次元空間であるＲＧＢ色空間
（ＣＳ）において、ＲＧＢそれぞれＮｇ段階（Ｎｇは２以上の整数）となるＮｇ3個の格
子点が設けられている。図１には、色空間ＣＳのＢ＝ｂの断面における格子点が模式的に
白丸で示されている。軸方向の格子点数Ｎｇは、例えば、１７、３３、等とすることがで
きる。尚、格子点は、変換テーブルに規定される入力点を意味する一般的用語であり、色
空間の座標に対応していれば配置に特別な限定は無い。従って、複数の格子点は、色空間
内で均等に配置されるのみならず、色空間内でＲＧＢのそれぞれについて異なる位置にあ
れば不均等に配置されてもよい。
【００３８】
図２（ａ）には、イエロー１色に対応する複数の格子点ＧＤ０についてのデータを例示
している。これらの格子点ＧＤ０の座標値は、Ｒ値とＧ値が共に２５５であり、Ｂ値が互
いに異なっている。色空間ＣＳにおけるイエロー１色は、図１に示す第一変換テーブルＣ
ＯＮ１のＢ軸に相当する。また、これらの格子点ＧＤ０の格子点値は、Ｃ値とＭ値とＫ値
がいずれも０であり、Ｙ値が互いに異なっている。尚、図２（ａ）に示す格子点ＧＤ０の
座標値や格子点値は、あくまでも例示に過ぎない。これらの格子点ＧＤ０の座標を図２（
ｂ）に示すように彩度Ｃ−明度Ｌ平面上に表すと、これらの格子点ＧＤ０の位置が曲線の
ハイライト側の稜線上となる。すなわち、色空間ＣＳにおけるＢ軸は、彩度Ｃ−明度Ｌ平
面上の曲線におけるハイライト側の稜線となる。
【００３９】
Ｃ＝Ｍ＝Ｋ＝０であってＹ＞０であるイエロー１色の画像を含む原稿画像ＩＭ４をスキ
ャン部３５や外部のスキャナー等で読み取って印刷することを考える。この場合、原稿画
像ＩＭ４を読み取ることにより得られる読取画像ＩＭ５は、図２（ｃ）に例示するように
、Ｒ＝Ｇ＝２５５とはならない。これは、読取装置のセンサーにばらつきがあること、外
光の影響、スキャン時に原稿が浮くこと、原稿画像からの反射光を検出すること、等によ
る。従って、読取画像用の色変換テーブルではない色変換テーブル（第二変換テーブルＣ
ＯＮ２を含む）で読取画像ＩＭ５を色変換すると、Ｃ＝Ｍ＝Ｋ＝０とはならない。その結
果、イエロー１色であった部分の印刷画像ＩＭ６にＣＭＫのドットが形成されてしまい、
ＣＭＫのドットによる粒状感が目立つことがある。特に、同じ記録濃度であればＹの印刷
画像の明度はＣＭＫの印刷画像の明度よりも高いため、高明度のＹの中で暗いＣＭＫのド
ットによる粒状感が目立ち易い。
【００４０】
そこで、本技術は、図１に示すように、色空間ＣＳにおいてＢ軸（Ｙインクの色）及び
その近傍を含む純色化領域（第一領域）Ｒ１にある色をＹインクの１色で印刷させること
にしている。また、純色化領域Ｒ１の周辺にある中間領域（第三領域）Ｒ３にある色につ
いては、Ｙインク、及び、ＣＭＫインクの１色以上で、且つ、ＣＭＫインクについては小
ドット６９Ｓとなるように印刷させることにしている。
【００４１】
（３）印刷制御装置の構成の具体例：
図１に示す印刷制御装置１は、第一制御部ＵＣ１、第二制御部ＵＣ２、及び、第三制御
部ＵＣ３を含む制御部ＵＣを有し、記録装置ＰＲ１に配置されている。むろん、印刷制御
装置１の少なくとも一部は、ホスト装置５００に配置されてもよい。
【００４２】
本具体例の印刷制御装置１は、第一変換テーブルＣＯＮ１を参照して色変換前の画像Ｉ
Ｍ１を色変換し、第一振り分けテーブルＤＩＳ１を参照して色変換後の画像ＩＭ２をドッ
トサイズ毎に分け、得られるドットデータＩＭ２Ｓ，ＩＭ２Ｍ，ＩＭ２Ｌに従って印刷画
像ＩＭ３を印刷部ＵＰＲに形成させる。第一制御部ＵＣ１は、色空間ＣＳにおいてイエロ
ー１色の色、及び、その近傍の色を含む純色化領域（第一領域）Ｒ１にある色をＣＭＫイ
ンク無しにＹインクの１色で印刷させる。Ｙインクのドットは、小中大ドット６９Ｓ，６
９Ｍ，６９Ｌの中から選ばれる１種類以上の任意のドットでよい。第二制御部ＵＣ２は、
色空間ＣＳにおいて純色化領域Ｒ１から離れた通常領域（第二領域）Ｒ２にある色を、Ｃ
ＭＫインクの１色以上が含まれるＣＭＹＫインクの１色以上のインクで、且つ、ＣＭＫイ
ンクの少なくとも１色については中大ドット６９Ｍ，６９Ｌの少なくとも一方が含まれる
ように印刷させる。通常領域Ｒ２に使用されるインクは、ＣＭＫインクの少なくとも１色
が含まれていればよく、Ｙインクが含まれてもよいしＹインクが含まれていなくてもよい
。また、通常領域Ｒ２の部分の印刷画像ＩＭ３にＣＭＫインクの小ドット６９Ｓが形成さ
れてもよい。第三制御部ＵＣ３は、色空間ＣＳにおいて純色化領域Ｒ１と通常領域Ｒ２と
の間の中間領域（第三領域）Ｒ３にある色を、Ｙインク、及び、ＣＭＫインクの１色以上
で、且つ、ＣＭＫインクについては中大ドット６９Ｍ，６９Ｌ無しに小ドット６９Ｓとな
るように印刷させる。
【００４３】
以上の制御を実現するため、本具体例の印刷制御装置１は、純色化領域Ｒ１及び中間領
域Ｒ３に特徴のある第一変換テーブルＣＯＮ１及び第一振り分けテーブルＤＩＳ１を有し
ている。第一変換テーブルＣＯＮ１と第一振り分けテーブルＤＩＳ１の格納データは、第
一制御部ＵＣ１、第二制御部ＵＣ２、及び、第三制御部ＵＣ３による処理が実現されるよ
うに作成している。
第一変換テーブルＣＯＮ１の各格子点には、ＲＧＢ色空間（ＣＳ）における領域毎の印
刷制御を実現させるためのＣＭＹＫのインク使用量を表す階調値が格納されている。ここ
で、ＲＧＢ色空間における格子点の座標の座標値を（Ｒ，Ｇ，Ｂ）のように表し、座標値
（Ｒ，Ｇ，Ｂ）に対応する格子点値を（Ｃ，Ｍ，Ｙ，Ｋ）のように表すことにする。
【００４４】
色空間ＣＳにおいてイエロー１色を表すＢ軸上の格子点ＧＤ０の座標値は（２５５，２
５５，Ｂ）であり、Ｙインク１種類で印刷されるように格子点ＧＤ０に格子点値（０，０
，Ｙ，０）が格納されている。
格子点ＧＤ０からＲ軸とＧ軸の少なくとも一方へ階調値が１段階減った位置にある格子
点ＧＤ１の座標値（Ｒ，Ｇ，Ｂ）のＲ，Ｇは２５５ではないが、Ｙインク１種類で印刷さ
れるように格子点ＧＤ１に格子点値（０，０，Ｙ，０）が格納されている。格子点ＧＤ０
，ＧＤ１で囲まれた領域の色を色変換する際には格子点ＧＤ０，ＧＤ１の格納値を用いた
補間演算を行うので、純色化領域Ｒ１を設けるためには格子点ＧＤ１にも格子点値（０，
０，Ｙ，０）を格納する必要がある。純色化領域Ｒ１を囲む格子点ＧＤ０，ＧＤ１に格子
点値（０，０，Ｙ，０）が格納されていることにより、純色化領域Ｒ１に対応する部分の
印刷画像がＹインクの１色で印刷される。
【００４５】
格子点ＧＤ１からさらにＲ軸とＧ軸の少なくとも一方へ階調値が１段階減った位置にあ
る格子点ＧＤ２には、ＣＭＫインクの１色以上とＹインクとで印刷されるように格子点値
（ｃ２，ｍ２，Ｙ，ｋ２）が格納されている。これにより、格子点ＧＤ１，ＧＤ２で囲ま
れた領域（中間領域Ｒ３に含まれる）では、ＣＭＫインクの１色以上とＹインクとで印刷
される。また、第一振り分けテーブルＤＩＳ１の使用と併せてＣＭＫインクについては小
ドット６９Ｓとなるように印刷される。
格子点ＧＤ２からさらにＲ軸とＧ軸の少なくとも一方へ階調値が１段階減った位置にあ
る格子点ＧＤ３には、通常の色変換テーブル（第二変換テーブルＣＯＮ２を含む）と同様
の格子点値（ｃｃ３，ｍｍ３，Ｙ，ｋｋ３）が格納されている。格子点ＧＤ３からＢ軸と
は反対側の領域（通常領域Ｒ２に含まれる）では、ＣＭＫインクの１色以上が含まれるＣ
ＭＹＫインクの１色以上で印刷される。また、第一振り分けテーブルＤＩＳ１の使用と併
せてＣＭＫインクの少なくとも１色については中大ドット６９Ｍ，６９Ｌの少なくとも一
方が含まれるように印刷される。
【００４６】
色変換前の画像ＩＭ１の画素値（Ｒｉ，Ｇｉ，Ｂｉ）が第一変換テーブルＣＯＮ１の格
子点の座標値と一致していなければ、色変換後の画像ＩＭ２の画素値（Ｃｉ，Ｍｉ，Ｙｉ
，Ｋｉ）を算出するために補間演算が行われる。従って、ＣＭＫインクについては小ドッ
ト６９Ｓとなるように印刷される中間領域Ｒ３と、ＣＭＫインクの少なくとも１色につい
ては中大ドット６９Ｍ，６９Ｌの少なくとも一方が印刷画像ＩＭ３に含まれるように印刷
される通常領域Ｒ２と、の境界は、格子点ＧＤ２の位置及び格子点ＧＤ３の位置を含めて
、格子点ＧＤ２と格子点ＧＤ３との間となる。
【００４７】
本技術を実施するため、純色化領域Ｒ１における第一変換テーブルＣＯＮ１は、Ｙイン
クの１色を使用するように対応関係を規定している。通常領域Ｒ２における第一変換テー
ブルＣＯＮ１は、ＣＭＫインクの１色以上を含むＣＭＹＫインクの１色以上を使用するよ
うに、且つ、ＣＭＫインクの少なくとも１色については中大ドット６９Ｍ，６９Ｌの少な
くとも一方が印刷画像ＩＭ３に含まれるように対応関係を規定している。中間領域Ｒ３に
おける第一変換テーブルＣＯＮ１は、ＣＭＫインクの１色以上とＹインクとを使用するよ
うに、且つ、ＣＭＫインクについては小ドット６９Ｓとなるように対応関係を規定してい
る。
【００４８】
図７には、第一振り分けテーブルＤＩＳ１の構造例を模式的に示している。第一振り分
けテーブルＤＩＳ１は、ＣＭＹＫのインク使用量を表す色変換後の画像ＩＭ２の画素値（
Ｃｉ，Ｍｉ，Ｙｉ，Ｋｉ）をドットサイズ別に振り分けるための情報テーブルである。図
７の左下には、Ｃインクを例にとって比較的少ないインク使用量に対するドット形成量を
示している。ＭＹＫインクの場合も、同様である。
【００４９】
インク使用量が０のとき、ドットは形成されない。従って、第一変換テーブルＣＯＮ１
に従った出力値が（０，０，Ｙ，０）となる純色化領域Ｒ１では、Ｙインクの１色で印刷
される。
また、Ｃインクについて、インク使用量が０よりも大きくＣ２以下（０＜ｃ２＜Ｃ２＜
Ｃ３）であるとき、中大ドット６９Ｍ，６９Ｌが形成されず小ドット６９Ｓが形成される
。従って、第一変換テーブルＣＯＮ１に従った出力値（Ｃ，Ｍ，Ｙ，Ｋ）が０＜Ｃ≦Ｃ２
、０＜Ｍ≦Ｍ２、及び、０＜Ｋ≦Ｋ２となる中間領域Ｒ３では、ＣＭＫインクの１色以上
とＹインクとで、且つ、ＣＭＫインクについては小ドット６９Ｓとなるように印刷される
。
さらに、Ｃインクについて、インク使用量がＣ２より大きいとき、中大ドット６９Ｍ，
６９Ｌの少なくとも一方が形成される。従って、第一変換テーブルＣＯＮ１に従った出力
値（Ｃ，Ｍ，Ｙ，Ｋ）がＣ２＜Ｃ≦２５５、Ｍ２＜Ｍ≦２５５、及び、Ｋ２＜Ｋ≦２５５
となる通常領域Ｒ２では、ＣＭＫインクの１色以上が含まれるＣＭＹＫインクの１色以上
で、且つ、ＣＭＫインクの少なくとも１色については中大ドット６９Ｍ，６９Ｌの少なく
とも一方が含まれるように印刷される。
【００５０】
本技術を実施するため、第一振り分けテーブルＤＩＳ１は、純色化領域Ｒ１にある色を
印刷するときにＹインクの１色を使用するように対応関係を規定している。また、第一振
り分けテーブルＤＩＳ１は、通常領域Ｒ２にある色を印刷するときにＣＭＫインクの少な
くとも１色については中大ドット６９Ｍ，６９Ｌの少なくとも一方が印刷画像ＩＭ３に含
まれるように対応関係を規定している。さらに、第一振り分けテーブルＤＩＳ１は、中間
領域Ｒ３にある色を印刷させるときにＣＭＫインクについては小ドット６９Ｓとなるよう
に対応関係を規定している。
【００５１】
（４）印刷制御処理の例：
次に、図５等を参照して、記録装置ＰＲ１が印刷制御装置１として行う印刷制御処理の
例を説明する。この処理は、コントローラー１０が主体となって行い、画像の印刷を行う
所定の入力を操作パネル７３又はホスト装置５００から受け付けたときに開始する。
【００５２】
印刷制御処理が開始すると、コントローラー１０は、現在の印刷設定ＳＥＴ０に応じて
処理を分岐させる（ステップＳ１０２。以下、「ステップ」の記載を省略）。操作パネル
７３やホスト装置５００から受け付けた印刷設定ＳＥＴ０がコピーモード（第一印刷設定
）である場合、第一変換テーブルＣＯＮ１を参照する色変換処理（Ｓ１１０）、及び、第
一振り分けテーブルＤＩＳ１を参照するドット振り分け処理（Ｓ１１２）を行い、処理を
Ｓ１３０に進める。操作パネル７３やホスト装置５００から受け付けた印刷設定ＳＥＴ０
が通常モード（第二印刷設定）である場合、第二変換テーブルＣＯＮ２を参照する色変換
処理（Ｓ１２０）、及び、第二振り分けテーブルＤＩＳ２を参照するドット振り分け処理
（Ｓ１２２）を行い、処理をＳ１３０に進める。
【００５３】
図６は、変換テーブルＣＯＮ１，ＣＯＮ２の構造例を模式的に示している。
上述したように、第一変換テーブルＣＯＮ１については、格子点ＧＤ０，ＧＤ１に格子
点値（０，０，Ｙ，０）が格納され、格子点ＧＤ２に格子点値（ｃ２，ｍ２，Ｙ，ｋ２）
が格納され、格子点ＧＤ３に格子点値（ｃｃ３，ｍｍ３，Ｙ，ｋｋ３）が格納されている
。これにより、純色化領域Ｒ１においてＹインクの１色が使用され、通常領域Ｒ２におい
てＣＭＫインクの１色以上が含まれるＣＭＹＫインクの１色以上が使用され、且つ、ＣＭ
Ｋインクの少なくとも１色については中大ドット６９Ｍ，６９Ｌの少なくとも一方が印刷
画像ＩＭ３に含まれ、中間領域Ｒ３においてＣＭＫインクの１色以上とＹインクとを使用
するように、且つ、ＣＭＫインクについては小ドット６９Ｓとなるように対応関係が規定
されている。
【００５４】
第二変換テーブルＣＯＮ２については、格子点ＧＤ０に第一変換テーブルＣＯＮ１と同
じ格子点値（０，０，Ｙ，０）が格納され、格子点ＧＤ１に格子点値（ｃｃ１，ｍｍ１，
Ｙ，ｋｋ１）が格納され、格子点ＧＤ２に格子点値（ｃｃ２，ｍｍ２，Ｙ，ｋｋ２）が格
納され、格子点ＧＤ３に第一変換テーブルＣＯＮ１と同じ格子点値（ｃｃ３，ｍｍ３，Ｙ
，ｋｋ３）が格納されている。ここで、両変換テーブルＣＯＮ１，ＣＯＮ２の同じ位置の
格子点ＧＤ１，ＧＤ２について、０≦ｃｃ１、０≦ｍｍ１、０≦ｋｋ１、ｃ２≦ｃｃ２、
ｍ２≦ｍｍ２、及び、ｋ２≦ｋｋ２であり、全体として、０＜ｃｃ１＋ｍｍ１＋ｋｋ１、
及び、ｃ２＋ｍ２＋ｋ２≦ｃｃ２＋ｍｍ２＋ｋｋ２である。
【００５５】
以上より、第二変換テーブルＣＯＮ２において、格子点ＧＤ１のＣＭＫの格子点値がｃ
ｃ１，ｍｍ１，ｋｋ１であるため、イエロー１色で印刷されるのはＢ軸上となり、このＢ
軸を除いて格子点ＧＤ０，ＧＤ１で囲まれた領域でＹインク、及び、ＣＭＫインクの１色
以上で印刷される。すなわち、純色化領域Ｒ１に対応する領域において、ＣＭＫのドット
が混入する。従って、第二変換テーブルＣＯＮ１を参照して読取画像ＩＭ５を色変換する
と、イエロー１色であった部分の印刷画像ＩＭ６にＣＭＫのドットが形成されてしまう。
また、格子点ＧＤ２のＣＭＫの格子点値が全体として第一変換テーブルＣＯＮ１よりも大
きいため、中間領域Ｒ３に対応する領域において、ＣＭＫの少なくとも１色については中
大ドット６９Ｍ，６９Ｌの少なくとも一方が混入する。
【００５６】
印刷設定ＳＥＴ０がコピーモードである場合、第一変換テーブルＣＯＮ１を参照したＳ
１１０の色変換処理が行われる。得られる画像ＩＭ２の各画素ＰＸ１には、純色化領域Ｒ
１に（０，０，Ｙｉ，０）が格納され、通常領域Ｒ２にＣＭＫの１色以上が使用されるＣ
ＭＹＫの画素値が格納され、中間領域Ｒ３にＣＭＫの１色以上とＹとが使用されるＣＭＹ
Ｋの画素値が格納される。ここで、通常領域Ｒ２における画素値は、ＣＭＫの少なくとも
１色について中大ドット６９Ｍ，６９Ｌの少なくとも一方が印刷画像ＩＭ３に含まれる画
素値とされる。中間領域Ｒ３における画素値は、ＣＭＫについては小ドット６９Ｓとなる
画素値とされる。
【００５７】
印刷設定ＳＥＴ０が通常モードである場合、第二変換テーブルＣＯＮ２を参照したＳ１
２０の色変換処理が行われる。得られる画像ＩＭ２の各画素ＰＸ１には、純色化領域Ｒ１
に対応する領域のうちＢ軸上を除いた領域にＣＭＫの１色以上とＹとが使用されるＣＭＹ
Ｋの画素値が格納され、通常領域Ｒ２に対応する領域にＣＭＫの１色以上が使用されるＣ
ＭＹＫの画素値が格納され、中間領域Ｒ３に対応する領域にＣＭＫの１色以上とＹとが使
用されるＣＭＹＫの画素値が格納される。ここで、中間領域Ｒ３には、ＣＭＫの少なくと
も１色について中大ドット６９Ｍ，６９Ｌの少なくとも一方が形成される画素が含まれる
。
【００５８】
図７は、振り分けテーブルＤＩＳ１，ＤＩＳ２の構造例を模式的に示している。図７の
下段には、Ｃインクを例にとって比較的少ないインク使用量に対するドット形成量を示し
ている。ＭＹＫインクの場合も、同様である。振り分けテーブルＤＩＳ１，ＤＩＳ２は、
ＣＭＹＫに共通の情報テーブルとされている。
インク使用量が０のとき、いずれの振り分けテーブルＤＩＳ１，ＤＩＳ２でもドットは
形成されない。
【００５９】
第一振り分けテーブルＤＩＳ１の場合、例えばＣインクについて、インク使用量が０よ
りも大きくＣ２以下であるとき、中大ドット６９Ｍ，６９Ｌが形成されず小ドット６９Ｓ
が形成される。インク使用量がＣ２よりも大きいとき、中大ドット６９Ｍ，６９Ｌの少な
くとも一方が形成される。
本具体例の第二振り分けテーブルＤＩＳ２も、インク使用量が少ないときに中大ドット
６９Ｍ，６９Ｌが形成されず小ドット６９Ｓが形成されるようにしている。ただ、第二振
り分けテーブルＤＩＳ２の場合、例えばＣインクについて、インク使用量が０よりも大き
くＣ１以下であるとき、中大ドット６９Ｍ，６９Ｌが形成されず小ドット６９Ｓが形成さ
れる。インク使用量がＣ１よりも大きいとき、中大ドット６９Ｍ，６９Ｌの少なくとも一
方が形成される。ＭＹＫインクの場合も、同様である。
【００６０】
第一振り分けテーブルＤＩＳ１における中ドット６９Ｍの発生ポイント（インク使用量
Ｃ２）は、第二振り分けテーブルＤＩＳ２における中ドット６９Ｍの発生ポイント（イン
ク使用量Ｃ１）よりも遅い。これにより、コピーモードの場合、純色化領域Ｒ１の周辺に
おいて、Ｙのドット群に混入するＣＭＫインクのドットが小ドット６９Ｓとなる中間領域
Ｒ３が十分に確保される。
【００６１】
印刷設定ＳＥＴ０がコピーモードである場合、第一振り分けテーブルＤＩＳ１を参照し
たＳ１１２のドット振り分け処理が行われる。得られる小ドットデータＩＭ２Ｓの各画素
ＰＸ１の画素値（ＣＳｉ，ＭＳｉ，ＹＳｉ，ＫＳｉ）について、純色化領域Ｒ１ではＣＳ
ｉ＝ＭＳｉ＝ＫＳｉ＝０に変換される。得られる中ドットデータＩＭ２Ｍの各画素ＰＸ１
の画素値（ＣＭｉ，ＭＭｉ，ＹＭｉ，ＫＭｉ）について、純色化領域Ｒ１及び中間領域Ｒ
３ではＣＭｉ＝ＭＭｉ＝ＫＭｉ＝０に変換される。得られる大ドットデータＩＭ２Ｌの各
画素ＰＸ１の画素値（ＣＬｉ，ＭＬｉ，ＹＬｉ，ＫＬｉ）について、純色化領域Ｒ１及び
中間領域Ｒ３ではＣＬｉ＝ＭＬｉ＝ＫＬｉ＝０に変換される。
【００６２】
印刷設定ＳＥＴ０が通常モードである場合、第二振り分けテーブルＤＩＳ２を参照した
Ｓ１２２のドット振り分け処理が行われる。得られる小中大ドットデータＩＭ２Ｓ，ＩＭ
２Ｍ，ＩＭ２Ｌの各画素ＰＸ１の画素値について、純色化領域Ｒ１に対応する領域のうち
Ｂ軸上を除いた領域では、ＣＭＫの１色以上について小中大ドット６９Ｓ，６９Ｍ，６９
Ｌの１種類以上が印刷画像ＩＭ３に含まれるように変換される。中間領域Ｒ３に対応する
領域では、ＣＭＫの１色以上について中大ドット６９Ｍ，６９Ｌの少なくとも一方が印刷
画像ＩＭ３に含まれるように変換される。
【００６３】
ＣＭＹＫ毎に小中大ドットデータＩＭ２Ｓ，ＩＭ２Ｍ，ＩＭ２Ｌが得られると、図３に
示すハーフトーン処理部４３がドットデータＩＭ２Ｓ，ＩＭ２Ｍ，ＩＭ２Ｌの各画素ＰＸ
１の階調値に対して所定のハーフトーン処理を行って前記階調値の階調数を減らし、ＣＭ
ＹＫ毎に４値のハーフトーンデータを生成する（図５Ｓ１３０）。ラスタライズ処理部４
４は、ハーフトーンデータの各画素を機構部５０でドットが形成される順番に並べ換える
ラスタライズ処理を行い、ＣＭＹＫそれぞれのラスターデータを生成する（Ｓ１３２）。
駆動信号送信部４５は、ラスターデータに対応した駆動信号ＳＧを生成して記録ヘッド６
１の駆動回路６２に出力し、ラスターデータに合わせて駆動素子６３を駆動させてノズル
６４からインク滴６７を吐出させる（Ｓ１３４）。これにより、被印刷物４１０上にイン
ク滴６７のドット６９が形成され、印刷画像ＩＭ３が形成された印刷物４００が得られる
。
【００６４】
図８は、原稿画像ＩＭ４を読み取ってコピーモードで印刷画像ＩＭ３を形成する例を模
式的に示している。この原稿画像ＩＭ４には、イエロー１色の純色領域Ｒ１１、Ｙに近い
近傍領域Ｒ１２、並びに、Ｙ及びその近傍の色とは異なる他色領域Ｒ１３があるものとす
る。この原稿画像ＩＭ４を読取装置で読み取ると、読取画像ＩＭ５において純色領域Ｒ１
１に対応する領域は、純色化領域Ｒ１に含まれるＹ近傍の色となる。また、読取画像ＩＭ
５において近傍領域Ｒ１２に対応する領域は、純色領域Ｒ１１に対応する領域の色の近傍
色となる。近傍領域Ｒ１２に対応する領域は、中間領域Ｒ３に含まれる近傍色であるもの
とするが、一部が純色化領域Ｒ１に含まれてもよい。読取画像ＩＭ５において他色領域Ｒ
１３に対応する領域は、通常領域Ｒ２に含まれる他色であるものとする。
【００６５】
コピーモードでは、第一変換テーブルＣＯＮ１を参照する色変換処理が読取画像ＩＭ５
に対して行われ、第一振り分けテーブルＤＩＳ１を参照するドット振り分け処理が色変換
後の画像ＩＭ２に対して行われ、得られる小中大ドットデータＩＭ２Ｓ，ＩＭ２Ｍ，ＩＭ
２Ｌに従った印刷画像ＩＭ３が被印刷物４１０に形成される。このとき、純色領域Ｒ１１
に対応する領域は、純色化領域Ｒ１であるので、イエロー１色で印刷される。図８の例で
は純色化領域Ｒ１に対応する領域のうちＹの記録濃度が高い部分にＹの大ドット６９Ｌが
形成されていることが示されているが、Ｙの記録濃度がより低い部分についてはＹの中ド
ット６９Ｍや小ドット６９Ｓが形成されてもよい。他色領域Ｒ１３に対応する領域は、通
常領域Ｒ２であるので、ＣＭＫインクの少なくとも１色については中大ドット６９Ｍ，６
９Ｌの少なくとも一方が印刷画像ＩＭ３に含まれるように印刷される。近傍領域Ｒ１２に
対応する領域は、中間領域Ｒ３であるので、ＣＭＫインクのドットが小ドット６９Ｓとな
り、ＣＭＫインクのドットが目立たず、ＣＭＫインクのドットの粒状感が抑制される。従
って、本具体例は、読取装置で読み取られた画像に基づく印刷画像の画質が向上する。
【００６６】
また、読取画像とは異なる画像を印刷する際、印刷設定を通常モードにすると、純色化
領域Ｒ１にある色のうちＹインクの色を除く色については、ＣＭＫインクの１色以上とＹ
インクとで印刷される。さらに、中間領域Ｒ３にある色については、ＣＭＫインクの１色
以上とＹインクとで、且つ、ＣＭＫインクの１色以上については少なくとも中大ドット６
９Ｍ，６９Ｌの少なくとも一方が含まれるように印刷される。従って、本具体例は、読取
画像とは異なる画像に基づく印刷画像の画質が向上する。
【００６７】
（５）変形例：
本発明は、種々の変形例が考えられる。
例えば、ホスト装置５００がＲＧＢデータからラスターデータを生成して記録装置ＰＲ
１に送信する場合、ホスト装置５００は、制御部ＵＣ及び印刷設定受付部ＵＡを備えても
よい。ホスト装置５００がＲＧＢデータからハーフトーンデータを生成して記録装置ＰＲ
１に送信する場合や、ホスト装置５００がＲＧＢデータを色変換してハーフトーン処理前
のＣＭＹＫデータを記録装置ＰＲ１に送信する場合も、同様である。
画像の色を表す色空間は、ＲＧＢ色空間以外にも、ＣＭＹ色空間、ＣＭＹＫ色空間、Ｃ
ＩＥ（国際照明委員会）Ｌ*ａ*ｂ*色空間、等でもよい。
第一インクは、Ｙインク以外にも、Ｃ、Ｍ、Ｋ、Ｏｒ、Ｇｒ、等のインクでもよい。第
二インクは、第一インクと色が異なる色であれば、Ｃ、Ｍ、Ｙ、Ｋ、Ｏｒ、Ｇｒ、等のイ
ンクから選ばれる１色以上のインクでもよい。
【００６８】
振り分けテーブルＤＩＳ１，ＤＩＳ２は、ＣＭＹＫのそれぞれについて用意してもよい
。この場合、例えば、読取画像の印刷制御を行う際に、ＣＭＫについては第一振り分けテ
ーブルＤＩＳ１を参照し、Ｙについては第二振り分けテーブルＤＩＳ２を参照してもよい
。
【００６９】
また、第一制御部ＵＣ１、第二制御部ＵＣ２、及び、第三制御部ＵＣ３を実現させる振
り分けテーブルは、ＣＭＹＫ全てについて通常モード用の第二振り分けテーブルＤＩＳ２
を利用することも可能である。図７に示す本具体例の第二振り分けテーブルＤＩＳ２は、
インク使用量が少ない場合（Ｃの例では０よりも大きくＣ１以下である場合）、中大ドッ
ト６９Ｍ，６９Ｌが形成されず小ドット６９Ｓが形成される。例えば、図６に示す第一変
換テーブルＣＯＮ１の格子点ＧＤ２の格子点値（ｃ２，ｍ２，Ｙ，ｋ２）を中ドット６９
Ｍが発生しない値（例えば０＜ｃ２≦Ｃ１）に調整すれば、少なくとも格子点ＧＤ１，Ｇ
Ｄ２で囲まれた領域が中間領域Ｒ３となる。
【００７０】
さらに、図９に示すように、第一変換テーブルＣＯＮ１や第一振り分けテーブルＤＩＳ
１をコピーモード時に生成してもよい。図９に示す印刷制御処理は、図５で示したＳ１０
２，Ｓ１１０，Ｓ１１２，Ｓ１２０，Ｓ１２２の処理の代わりにＳ２０２〜Ｓ２１２の処
理が設けられている。
図９に示す印刷制御処理が開始すると、コントローラー１０は、現在の印刷設定ＳＥＴ
０に応じて処理を分岐させる（Ｓ２０２）。印刷設定ＳＥＴ０が通常モードである場合、
コントローラー１０は、Ｓ２０４の処理を行わずに処理をＳ２０６に進める。印刷設定Ｓ
ＥＴ０がコピーモードである場合、コントローラー１０は、図６で示したような第二変換
テーブルＣＯＮ２のうちＢ軸上を除いた純色化領域Ｒ１及び中間領域Ｒ３の格子点ＧＤ１
，ＧＤ２の格子点値を第一変換テーブルＣＯＮ１の格子点値となるように置き換える（Ｓ
２０４）。例えば、第二変換テーブルＣＯＮ２の格子点ＧＤ１の格子点値（ｃｃ１，ｍｍ
１，Ｙ，ｋｋ１）については格子点値（０，０，Ｙ，０）に置き換え、第二変換テーブル
ＣＯＮ２の格子点ＧＤ２の格子点値（ｃｃ２，ｍｍ２，Ｙ，ｋｋ２）については格子点値
（ｃ２，ｍ２，Ｙ，ｋ２）に置き換える。
【００７１】
以上より、印刷設定ＳＥＴ０がコピーモードである場合、コントローラー１０は、第二
変換テーブルＣＯＮ２から生成された第一変換テーブルＣＯＮ１を参照して色変換前の画
像ＩＭ１の画素値（Ｒｉ，Ｇｉ，Ｂｉ）を色変換する（Ｓ２０６）。一方、印刷設定ＳＥ
Ｔ０が通常モードである場合、コントローラー１０は、第二変換テーブルＣＯＮ２を参照
して色変換前の画像ＩＭ１の画素値（Ｒｉ，Ｇｉ，Ｂｉ）を色変換する（Ｓ２０６）。
【００７２】
その後、コントローラー１０は、現在の印刷設定ＳＥＴ０に応じて処理を分岐させる（
Ｓ２０８）。印刷設定ＳＥＴ０が通常モードである場合、コントローラー１０は、Ｓ２１
０の処理を行わずに処理をＳ２１２に進める。印刷設定ＳＥＴ０がコピーモードである場
合、コントローラー１０は、図７で示したような第二振り分けテーブルＤＩＳ２のうち０
よりも大きく所定量（Ｃの例ではＣ３）よりも小さいインク使用量のドット形成量を第一
振り分けテーブルＤＩＳ１のドット形成量となるように置き換える（Ｓ２１０）。これは
、第二振り分けテーブルＤＩＳ２の中ドット６９Ｍの発生ポイントを遅らせ、その分を小
ドット６９Ｓで補うことでもある。
【００７３】
以上より、印刷設定ＳＥＴ０がコピーモードである場合、コントローラー１０は、第二
振り分けテーブルＤＩＳ２から生成された第一振り分けテーブルＤＩＳ１を参照して色変
換後の画像ＩＭ２の画素値（Ｃｉ，Ｍｉ，Ｙｉ，Ｋｉ）をドットサイズ別に振り分ける（
Ｓ２１２）。一方、印刷設定ＳＥＴ０が通常モードである場合、コントローラー１０は、
第二振り分けテーブルＤＩＳ２を参照して色変換後の画像ＩＭ２の画素値（Ｃｉ，Ｍｉ，
Ｙｉ，Ｋｉ）をドットサイズ別に振り分ける（Ｓ２１２）。
【００７４】
その後、コントローラー１０は、小中大ドットデータＩＭ２Ｓ，ＩＭ２Ｍ，ＩＭ２Ｌに
対してハーフトーン処理を行い（Ｓ１３０）、得られるハーフトーンデータに対してラス
タライズ処理を行い（Ｓ１３２）、得られるラスターデータに対応した駆動信号ＳＧを記
録ヘッド６１に出力する（Ｓ１３４）。
【００７５】
本変形例は、第一変換テーブルＣＯＮ１のためのデータが少ない格子点ＧＤ１，ＧＤ２
の格子点値だけで済み、第一振り分けテーブルＤＩＳ１のためのデータが少ないインク使
用量（０よりも大きく所定量よりも小さい範囲内）のドット形成量で済む。従って、第一
変換テーブルＣＯＮ１及び第一振り分けテーブルＤＩＳ１のためのデータ量が少なくなる
。
尚、色変換については図５で示したＳ１１０，Ｓ１２０の処理を行い、ドット振り分け
については図９で示したＳ２０８〜Ｓ２１２の処理を行ってもよい。また、色変換につい
ては図９で示したＳ２０２〜Ｓ２０６の処理を行い、ドット振り分けについては図５で示
したＳ１１２，Ｓ１２２の処理を行ってもよい。
【００７６】
さらに、図１０に示すように、第一変換テーブルＣＯＮ１や第一振り分けテーブルＤＩ
Ｓ１をコピーモード時に生成してもよい。図１０に示す印刷制御処理は、図５で示したＳ
１１２の処理の代わりにＳ３０２〜Ｓ３０４の処理が設けられている。
印刷設定ＳＥＴ０がコピーモードである場合（Ｓ１０２）、コントローラー１０は、第
一変換テーブルＣＯＮ１を参照して図１で示した色変換前の画像ＩＭ１を色変換する（Ｓ
１１０）。次に、コントローラー１０は、通常モードで使用される第二振り分けテーブル
ＤＩＳ２を参照して色変換後の画像ＩＭ２の画素値（Ｃｉ，Ｙｉ，Ｙｉ，Ｋｉ）をドット
サイズ別に振り分ける（Ｓ３０２）。第二振り分けテーブルＤＩＳ２を参照したため、こ
のままでは中間領域Ｒ３にＣＭＫインクの少なくとも１色について中大ドット６９Ｍ，６
９Ｌの少なくとも一方が形成される可能性がある。
【００７７】
そこで、コントローラー１０は、例えば、画素ＰＸ１毎に色変換前の画像ＩＭ１の画素
値（Ｒｉ，Ｇｉ，Ｂｉ）が中間領域Ｒ３の画素値であるか否かを判断し、中間領域Ｒ３の
画素値であると判断した画素ＰＸ１のＣＭＫの中大ドットデータＩＭ２Ｍ，ＩＭ２Ｌを小
ドットデータＩＭ２Ｓに置き換える（Ｓ３０４）。この判断は、例えば、画素値Ｒｉ，Ｇ
ｉに対する閾値をＲｔｈ，Ｇｔｈ（０＜Ｒｔｈ＜２５５、０＜Ｇｔｈ＜２５５）として、
Ｒｉ≧Ｒｔｈ且つＧｉ≧Ｇｔｈであるか否かの判断とすることができる。この場合、ＣＭ
Ｋの中大ドットデータＩＭ２Ｍ，ＩＭ２ＬのうちＲｉ≧Ｒｔｈ且つＧｉ≧Ｇｔｈである画
素ＰＸ１の画素値（ＣＭｉ，ＭＭｉ，ＹＭｉ，ＫＭｉ），（ＣＬｉ，ＭＬｉ，ＹＬｉ，Ｋ
Ｌｉ）を小ドットデータＩＭ２Ｓの画素値（ＣＳｉ，ＭＳｉ，ＹＳｉ，ＫＳｉ）に置き換
える。Ｃインクを例にとって説明すると、１個の中ドット６９ＭがＭｓ個（例えば２個）
の小ドット６９Ｓに対応している場合にＭｓ×ＣＭｉをＣＳｉに加算し、１個の大ドット
６９ＬがＬｓ個（例えば４個）の小ドット６９Ｓに対応している場合にＬｓ×ＣＬｉをＣ
Ｓｉに加算すればよい。ＭＹＫの場合も、同様である。
【００７８】
また、コントローラー１０は、画素ＰＸ１毎に色変換後の画像ＩＭ２の画素値（Ｃｉ，
Ｙｉ，Ｙｉ，Ｋｉ）が中間領域Ｒ３の画素値であるか否かを判断し、中間領域Ｒ３の画素
値であると判断した画素ＰＸ１のＣＭＫの中大ドットデータＩＭ２Ｍ，ＩＭ２Ｌを小ドッ
トデータＩＭ２Ｓに置き換えてもよい。この判断は、例えば、画素値Ｃｉ，Ｙｉ，Ｙｉ，
Ｋｉに対する閾値をＣｔｈ，Ｍｔｈ，Ｙｔｈ，Ｋｔｈ（０＜Ｃｔｈ＜２５５、０＜Ｍｔｈ
＜２５５、０＜Ｙｔｈ＜２５５、０＜Ｋｔｈ＜２５５）として、Ｃｉ≦Ｃｔｈ且つＭｉ≦
Ｍｔｈ且つＫｉ≦Ｋｔｈ且つＹ≧Ｙｔｈであるか否かの判断とすることができる。この場
合、ＣＭＫの中大ドットデータＩＭ２Ｍ，ＩＭ２ＬのうちＣｉ≦Ｃｔｈ且つＭｉ≦Ｍｔｈ
且つＫｉ≦Ｋｔｈ且つＹ≧Ｙｔｈである画素ＰＸ１の画素値（ＣＭｉ，ＭＭｉ，ＹＭｉ，
ＫＭｉ），（ＣＬｉ，ＭＬｉ，ＹＬｉ，ＫＬｉ）を小ドットデータＩＭ２Ｓの画素値（Ｃ
Ｓｉ，ＭＳｉ，ＹＳｉ，ＫＳｉ）に置き換える。
【００７９】
その後、コントローラー１０は、小中大ドットデータＩＭ２Ｓ，ＩＭ２Ｍ，ＩＭ２Ｌに
対してハーフトーン処理を行い（Ｓ１３０）、得られるハーフトーンデータに対してラス
タライズ処理を行い（Ｓ１３２）、得られるラスターデータに対応した駆動信号ＳＧを記
録ヘッド６１に出力する（Ｓ１３４）。
本変形例は、読取画像用の第一振り分けテーブルＤＩＳ１が不要であるので、第一振り
分けテーブルＤＩＳ１のためのデータ量が少なくなる。
【００８０】
さらに、図１１に示す第一変換テーブルＣＯＮ１１のように、ＲＧＢ色空間（ＣＳ）に
おいてＢ軸の座標に応じて純色化領域Ｒ１の範囲を変えてもよい。尚、図１１の上段には
中間領域Ｒ３の図示を省略して第一変換テーブルＣＯＮ１１を模式的に示し、その下にＢ
＝ｂの断面における第一変換テーブルＣＯＮ１１を模式的に示している。ここで、０＜ｂ
２＜ｂ＜ｂ１＜２５５とする。格子点値（０，０，Ｙ，０）が格納される第一変換テーブ
ルＣＯＮ１１の格子点は、ｂ１＜Ｂ≦２５５の場合に格子点ＧＤ０，ＧＤ１であり、ｂ２
＜Ｂ≦ｂ１の場合に格子点ＧＤ０，ＧＤ１，ＧＤ２であり、０≦Ｂ≦ｂ２の場合に格子点
ＧＤ０，ＧＤ１，ＧＤ２，ＧＤ３である。これにより、純色化領域Ｒ１は、ｂ１＜Ｂ≦２
５５の場合に格子点ＧＤ０，ＧＤ１で囲まれた領域となり、ｂ２＜Ｂ≦ｂ１の場合に格子
点ＧＤ０，ＧＤ２で囲まれた領域となり、０≦Ｂ≦ｂ２の場合に格子点ＧＤ０，ＧＤ３で
囲まれた領域となる。中間領域Ｒ３は、Ｂ座標値に応じた範囲の純色化領域Ｒ１の周辺に
あればよい。例えば、ｂ２＜Ｂ≦ｂ１の場合、格子点ＧＤ２からさらにＲ軸とＧ軸の少な
くとも一方へ階調値が１段階減った位置にある格子点ＧＤ３に、ＣＭＫインクの１色以上
とＹインクとで印刷されるように格子点値（ｃ３，ｍ３，Ｙ，ｋ３）が格納されている。
これにより、格子点ＧＤ２，ＧＤ３で囲まれた領域（中間領域Ｒ３に含まれる）では、Ｃ
ＭＫインクの１色以上とＹインクとで印刷される。また、第一振り分けテーブルＤＩＳ１
の使用と併せてＣＭＫインクについては小ドット６９Ｓとなるように印刷される。０≦Ｂ
≦ｂ２の場合も同様にして中間領域Ｒ３を設けることができる。
【００８１】
図１１に示す変形例は、Ｙの濃度に応じて純色化領域Ｒ１の範囲が代わるので、読取画
像で読み取られた画像に基づく印刷画像の画質をさらに向上させることができる。
【００８２】
さらに、図１２に示す第一変換テーブルＣＯＮ１２のように、ＲＧＢ色空間（ＣＳ）に
おいてＹインクの色を含む所定範囲内の領域Ａ１から１色で印刷すべきでない制限領域（
第四領域）Ｒ４を除いて純色化領域Ｒ１にしてもよい。例えば、色再現性を重視する肌色
は、ＲＧＢ色空間において座標値（Ｒ，Ｇ，Ｂ）＝（２４０，２１０，１９０）程度を中
心とする領域に含まれる。肌色の色再現性を重視する領域として、図１２に示すように格
子点ＧＤ２１，ＧＤ３１を含む制限領域Ｒ４を色空間ＣＳに設けることにする。この制限
領域Ｒ４は、図１１で示した純色化領域Ｒ１と一部重複している。純色化領域Ｒ１から制
限領域Ｒ４が除かれていなければ、重複した領域（例えば格子点ＧＤ２１）の色がイエロ
ー１色に変換されてしまい、肌色が色再現されるべき画像がＹに色転びした不自然な画像
になることを意味する。
【００８３】
図１２に示す例では、図１１で示した純色化領域Ｒ１に対応する所定範囲内の領域Ａ１
から制限領域Ｒ４を除くため、Ｂ＝ｂ及びその近傍（例えば図１１で示したｂ２＜Ｂ≦ｂ
１）において所定範囲内の領域Ａ１をＧ軸方向においてＢ軸側へ狭めて純色化領域Ｒ１に
している。格子点値（０，０，Ｙ，０）が格納される第一変換テーブルＣＯＮ１２の格子
点は、Ｒ軸方向においては格子点ＧＤ０，ＧＤ１，ＧＤ２であるが、Ｇ軸方向においては
格子点ＧＤ０，ＧＤ１である。これにより、純色化領域Ｒ１は、Ｒ軸方向においては格子
点ＧＤ０〜ＧＤ２の範囲となるが、Ｇ軸方向においては比較的狭い格子点ＧＤ０〜ＧＤ１
の範囲となる。これにより、制限領域Ｒ４と純色化領域Ｒ１とが離隔している。また、純
色化領域Ｒ１の周辺に設けられる中間領域Ｒ３は、図１１で示した中間領域Ｒ３に対応す
る所定範囲内の領域Ａ２をＧ軸方向においてＢ軸側へ狭めた領域にしている。
【００８４】
本具体例は、イエロー１色で印刷すべきでない肌色がイエロー１色で印刷されることを
抑制することができるので、印刷画像の画質をさらに向上させることができる。
尚、制限領域は、白色、グレイ、等でもよく、肌色を含む制限領域、白色を含む制限領
域、グレイを含む制限領域、等から選ばれる２以上の制限領域を所定範囲内の領域から除
いて純色化領域にしてもよい。
【００８５】
尚、図５で示したＳ１０２，Ｓ１２０，Ｓ１２２の処理を行わない印刷制御装置等、印
刷制御装置に第一制御部と第二制御部と第三制御部があれば、印刷設定受付部等が無くて
も、本発明の基本的な効果が得られる。
【００８６】
（６）結び：
以上説明したように、本発明によると、種々の態様により、読取装置で読み取られた画
像に基づく印刷画像の画質を向上させる技術等を提供することができる。むろん、従属請
求項に係る構成要件を有しておらず独立請求項に係る構成要件のみからなる技術等でも、
上述した基本的な作用、効果が得られる。
また、上述した実施形態及び変形例の中で開示した各構成を相互に置換したり組み合わ
せを変更したりした構成、公知技術並びに上述した実施形態及び変形例の中で開示した各
構成を相互に置換したり組み合わせを変更したりした構成、等も実施可能である。本発明
は、これらの構成等も含まれる。
【符号の説明】
【００８７】
１…印刷制御装置、１０…コントローラー、３５…スキャン部（読取装置）、５０…機構
部、６１…記録ヘッド、６６…インク、６７…インク滴、６９…ドット、６９Ｓ…小ドッ
ト、６９Ｍ…中ドット、６９Ｌ…大ドット、７３…操作パネル、４００…印刷物、４１０
…被印刷物、５００…ホスト装置、Ａ１…所定範囲内の領域、ＣＯＮ１…第一変換テーブ
ル、ＣＯＮ２…第二変換テーブル、ＣＳ…画像の色を表す色空間、ＤＩＳ１…第一振り分
けテーブル、ＤＩＳ２…第二振り分けテーブル、ＩＭ１…色変換前の画像、ＩＭ２…色変
換後の画像、ＩＭ３…印刷画像、ＩＭ２Ｓ…小ドットデータ、ＩＭ２Ｍ…中ドットデータ
、ＩＭ２Ｌ…大ドットデータ、ＩＭ４…原稿画像、ＩＭ５…読取画像、ＩＭ６…印刷画像
、ＰＲ１…記録装置、ＰＸ１，ＰＸ２…画素、Ｒ１…純色化領域（第一領域）、Ｒ２…通
常領域（第二領域）、Ｒ３…中間領域（第三領域）、Ｒ４…制限領域（第四領域）、ＳＥ
Ｔ０…印刷設定、ＳＹ１…記録システム、ＵＡ…印刷設定受付部、
ＵＣ…制御部、ＵＣ１…第一制御部、ＵＣ２…第二制御部、ＵＣ３…第三制御部、ＵＰＲ
…印刷部。
【図１】
2016096491.tif 000003
【図２】
2016096491.tif 000004
【図３】
2016096491.tif 000005
【図４】
2016096491.tif 000006
【図５】
2016096491.tif 000007
【図６】
2016096491.tif 000008
【図７】
2016096491.tif 000009
【図８】
2016096491.tif 000010
【図９】
2016096491.tif 000011
【図１０】
2016096491.tif 000012
【図１１】
2016096491.tif 000013
【図１２】
2016096491.tif 000014